(57)【特許請求の範囲】
【請求項１】
着脱可能な端子台カバーに覆われる端子台を備えるガスメーターに、前記端子台カバーが取り外された状態で接続され、このガスメーターのデータを無線データとして送信するガスメーター用無線モジュールであって、
前記ガスメーターの端子台を覆う状態で前記ガスメーターに取り付け可能なケースと、
前記ケースの前記ガスメーターとの取付面とは反対側の面に配置され、前記端子台に備えられた端子と電気的に接続されて前記ガスメーターのデータを取得し、当該データを無線データとして送信する無線基板と、
前記ケースと組み合わされて前記無線基板を覆う無線基板カバーと、
を備えることを特徴とするガスメーター用無線モジュール。
【請求項２】
前記端子台以外の取付対象物に取り付けるための汎用取付機構を有するアダプタが、前記ケースと交換可能であることを特徴とする請求項１に記載のガスメーター用無線モジュール。
【請求項３】
前記端子台以外の取付対象物に取り付けるための汎用取付機構を有し、前記ケースに取り付け可能な取付部材を備えることを特徴とする請求項１に記載のガスメーター用無線モジュール。
【請求項４】
前記ケースと前記ガスメーターとの間、及び、前記無線基板カバーと前記ケースとの間、のうち少なくとも一方にパッキンが設けられたことを特徴とする請求項１又は３に記載のガスメーター用無線モジュール。
【請求項５】
前記無線基板カバーと前記アダプタとの間にパッキンが設けられたことを特徴とする請求項２に記載のガスメーター用無線モジュール。
【請求項６】
請求項１から５のいずれか一項に記載のガスメーター用無線モジュールを備えることを特徴とするガスメーター。
【発明の詳細な説明】
【技術分野】
【０００１】
本発明は、ガスメーター用無線モジュール及びガスメーターに関する。
【背景技術】
【０００２】
近年、マイクロコンピュータを利用して、流量センサによる検出流量を積算してガス使用量を算出する電子式ガスメーターが普及している。更に、このような電子式ガスメーターで取得されたガス使用量に関する情報等を無線回線や電話回線を介して遠隔の管理センタに送信して、遠隔管理を行うシステムも普及しつつある。そして、このようなシステムにおいては、ガスメーター側に管理センタ側との通信を制御するための網制御ユニット（ＮＣＵ）等のガスメーター用無線モジュールを取り付ける必要がある。当該ガスメーター用無線モジュールは、ガスメーター用無線モジュールのケースに設けられたステーによりガスメーターに取り付けられたり、ガスの配管に紐などを用いて固定される（例えば特許文献１参照）。
【先行技術文献】
【特許文献】
【０００３】
【特許文献１】特開２００１−０８２９９３号公報
【発明の概要】
【発明が解決しようとする課題】
【０００４】
しかしながら、ガスメーター用無線モジュールを取り付けるためにガスメーターの正面側に雌ねじを形成しておくと、ガスメーター用無線モジュールが取り付けられていないときには、穴埋用にねじ込まれる雄ねじの隆起によりデザイン性に欠けてしまう。
【０００５】
本発明は、デザイン性に優れたガスメーター用無線モジュールを提供することを目的とする。
【課題を解決するための手段】
【０００６】
本発明の第１の態様であるガスメーター用無線モジュールは、着脱可能な端子台カバーに覆われる端子台を備えるガスメーターに、前記端子台カバーが取り外された状態で接続され、このガスメーターのデータを無線データとして送信するガスメーター用無線モジュールであって、前記ガスメーターの端子台を覆う状態で前記ガスメーターに取り付け可能なケースと、前記ケースの前記ガスメーターとの取付面とは反対側の面に配置され、前記端子台に備えられた端子と電気的に接続されて前記ガスメーターのデータを取得し、当該データを無線データとして送信する無線基板と、前記ケースと組み合わされて前記無線基板を覆う無線基板カバーと、を備えることを特徴とする。
【０００７】
上記の態様においては、前記端子台以外の取付対象物に取り付けるための汎用取付機構を有するアダプタが、前記ケースと交換可能であることが好ましい。
【０００８】
上記の態様においては、前記端子台以外の取付対象物に取り付けるための汎用取付機構を有し、前記ケースに取り付け可能な取付部材を備えることが好ましい。
【０００９】
上記の態様においては、前記ケースと前記ガスメーターとの間、及び、前記無線基板カバーと前記ケースとの間、のうち少なくとも一方にパッキンが設けられることが好ましい。
【００１０】
上記の態様においては、前記無線基板カバーと前記アダプタとの間にパッキンが設けられることが好ましい。
【００１１】
本発明の第２の態様であるガスメーターは、上記のいずれかのガスメーター用無線モジュールを備えることを特徴とする。
【発明の効果】
【００１２】
本発明の第１の態様であるガスメーター用無線モジュールは、ガスメーターの端子台を覆う状態でガスメーターに取り付け可能なケースと、ケースのガスメーターとの取付面とは反対側の面に配置され、端子台に備えられた端子と電気的に接続されてガスメーターのデータを取得し、当該データを無線データとして送信する無線基板と、ケースと組み合わされて無線基板を覆う無線基板カバーと、を備えており、着脱可能な端子台カバーに覆われる端子台を備えるガスメーターに、端子台カバーが取り外された状態で接続される。このような構成により、ガスメーターの端子台を覆う端子台カバーに代えて、ガスメーター用無線モジュールをガスメーターに設けることができる。そのため、ガスメーターと一体感が生じてデザイン性に優れたものとなる。
【図面の簡単な説明】
【００１３】
【図１】本発明の第１実施形態に係るガスメーターを示した斜視図である。
【図２】図１に示すガスメーターが備えるガスメーター用無線モジュールの分解斜視図である。
【図３】図２に示すガスメーター用無線モジュールの他の実施形態を示した図である。
【図４】前記ガスメーター用無線モジュールの第２実施形態を示した図である。
【図５】図４に示すガスメーター用無線モジュールの背面図である。
【図６】図４に示すガスメーター用無線モジュールの他の実施形態を示した図である。
【発明を実施するための形態】
【００１４】
［第１実施形態］
以下、本発明の第１実施形態に係るガスメーター用無線モジュール及びガスメーターについて、図１を用いて説明する。図１は、本実施形態に係るガスメーター用無線モジュール４を備えたガスメーター１を示した斜視図である。ガスメーター１は、マイクロコンピュータを利用して、流量センサによる検出流量を積算してガス使用量を算出する電子式ガスメーターである。図１に示すように、ガスメーター１は、前面を構成するフロントカバー２と、後面を構成するバックカバー３と、ガスメーター用無線モジュール４と、を備えている。フロントカバー２は、ねじ３１によりバックカバー３に固定されており、ガスメーター１は、フロントカバー２とバックカバー３とで略直方体の箱状の外形が構成されている。
【００１５】
なお、以降では、便宜的にフロントカバー２側を前方、バックカバー３側を後方として、前後方向を定め、前後方向をＸ軸、上下方向をＹ軸、これらに直交する軸をＺ軸とする。Ｚ軸方向は、ガスメーター１の幅方向に相当する。
【００１６】
バックカバー３の上面（ガスメーター１の上面）には、ガス供給源側及びガス消費側に至るそれぞれのガス配管に連接される円筒状の流入口１１及び流出口１２が設けられている。流入口１１から流入したガスは、ガスメーター１内に形成された流路を経て、流出口１２側に流出していく。この流路の途中にはマイクロフローセンサや超音波式等、公知の流量センサが配置されている。そして、この流量センサによる流量検出値に基づいてガスメーター１に内蔵されるマイクロコンピュータによりガス使用量が算出される。また、ガス流量異常や圧力異常時等には保安のためにマイクロコンピュータによりガスメーター１に内蔵される遮断弁装置が制御されてガス流路が遮断される。
【００１７】
フロントカバー２は、上記ガス使用量や保安情報等を表示する表示部２１と、リセットスイッチ２２と、端子台２３を収納する開口部２４と、端子台２３を覆う着脱可能な端子台カバー（図示せず）の配置部２５と、を備えている。開口部２４は、フロントカバー２の下側略中央部に形成されており、ガスメーター１内の図示されていない電子回路と電気的に接続されている端子台２３を収納している。端子台２３には、複数の端子２３ａが幅方向に並べられて形成されている。
【００１８】
配置部２５は、ガスメーター用無線モジュール４が備え付けられる場所である。配置部２５は、フロントカバー２の上下方向の略中央部から下側の面であり、当該下側の面は上側の面よりも後方に窪んで形成されている。配置部２５は、幅方向に延びて形成されている。配置部２５には、開口部２４の幅方向両側に２つのねじ穴２６が形成されている。端子台２３は、ガスメーター１にガスメーター用無線モジュール４が取り付けられない時には、配置部２５に着脱可能な端子台カバーが配されることにより覆われており、端子台カバーは端子台カバーに挿通させたねじをねじ穴２６に締め付けることによりガスメーター１に着脱可能に設けられている。
【００１９】
図２は、ガスメーター用無線モジュール４の分解斜視図である。ガスメーター用無線モジュール４は、例えば、ガスメーターの指示数等のデータを、複数のガスメーターを経由しながらリレー伝送（多段中継）する、近距離通信型の多段中継無線機である。ガスメーター用無線モジュール４は、端子台２３を覆う状態でガスメーター１に取り付け可能なケース５と、端子２３ａと電気的に接続されてガスメーター１のデータを取得し、当該データを無線データとして送信する無線基板６と、ケース５と組み合わされて無線基板６を覆って固定する無線基板カバーとしてのカバー７と、を備えている。
【００２０】
ケース５は、前後方向に延びた略四角筒状の筒状部材５１を備えており、例えば合成樹脂等により構成されている。
【００２１】
筒状部材５１のガスメーター１側の開口部（後方側開口部）を形成している縁部５２は、取り付けられる配置部２５の面に沿うように形成されている。これにより、ケース５を配置部２５に取り付けることができる。具体的には、ガスメーター１側の開口部を形成している縁部５２のうち幅方向に伸びる辺は、フロントカバー２の配置部２５の面に沿って前方側に湾曲して形成されている。一方、ガスメーター１側の開口部を形成している縁部５２のうち上下方向に伸びる辺は、垂直方向と略平行に形成されている。
【００２２】
筒状部材５１の無線基板６側の開口部（前方側開口部）を形成している縁部５３は、幅方向及び上下方向に垂直な面での断面が幅方向に延びた略長方形状に形成されている。筒状部材５１には、上下方向に延びた２つの縁部５３に沿って当該縁部５３の幅方向内側に２つのねじ穴５８が形成されている。後述するねじ挿通孔７１に適宜のねじを挿通し、ねじをねじ穴５８に締め付けることにより、カバー７がケース５に取り付けられる。
【００２３】
筒状部材５１は、筒状部材５１内を前後方向の空間に仕切る仕切り板５６を備えている。仕切り板５６には、略中央部に開口部５７が形成されており、開口部５７は、ケース５を配置部２５に取り付けた際に、開口部２４に対応する位置に形成されている。当該仕切り板５６のガスメーター１側（後方側）は、取付面５６ａを形成している。
【００２４】
また、仕切り板５６の取付面５６ａとは反対側の面は配置面５６ｂを形成している。配置面５６ｂには、カバー７に固定された無線基板６が配置される。また、仕切り板５６には、開口部５７の幅方向両側に、ケース５をガスメーター１に取り付けるためのねじ挿通孔５９が形成されている。当該ねじ挿通孔５９は、ケース５が配置部２５に取り付けられたときに、配置部２５のねじ穴２６に対応する位置に形成されている。
【００２５】
無線基板６は、ガスメーター１の端子２３ａと電気的に接続する端子（図示せず）を有する端子台（図示せず）を備えており、ケース７の内面側に固定されて、配置面５６ｂと、筒状部材５１の前方側の端部と、カバー７の内面側と、で形成された収容スペースに収容される。無線基板６の端子は、例えば電線などにより、仕切り板５６の開口部５７を介して端子２３ａに電気的に接続されている。無線基板６は、ガスメーター１の指示数等のデータを、複数のガスメーターを経由しながらリレー伝送（多段中継）する。無線基板６には、ねじを挿通するためのねじ挿通孔６１が形成されている。無線基板６は、ねじ挿通孔６１にねじを挿通して、カバー７に固定される。
【００２６】
カバー７は、その内側面に無線基板６を固定し、無線基板６を覆ってケース５に取り付けられている。カバー７の端部は、ケース５の縁部５３の形状に対応するように形成されている。カバー７の外周部には、当該外周部の形状に沿ってパッキンが設けられ、カバー７を取り付ける際に、カバー７とケース５との間に当該パッキンが配されるようになっている。これにより、ケース５とカバー７との間により隙間ができにくく、当該隙間から雨水などが流入してくることをより効果的に抑制することができる。カバー７には、ケース５と組み合わされた際に、ケース５のねじ穴５８と重なる位置に２つのねじ挿通孔７１が形成されており、当該ねじ挿通孔７１に適宜のねじを挿通し、ねじをねじ穴５８に締め付けることにより、カバー７がケース５に取り付けられる。カバー７は、例えば合成樹脂等により形成されている。
【００２７】
次に、ガスメーター用無線モジュール４の組み立て方法、及び、ガスメーター用無線モジュール４のガスメーター１への取付方法について説明する。事前に、無線基板６を、ねじ挿通孔６１にねじを挿通してカバー７の内側面に固定しておく。次に、端子２３ａに電線の一端を接続する。次に、ケース５を、縁部５２が配置部２５に接するように配置部２５に取り付け、適宜のねじを挿通孔５９に挿通させ、ねじをねじ穴２６に締め付ける。これにより、ケース５がガスメーター１に取り付けられる。次に、一端が端子２３ａに接続された電線を開口部５７に挿通し、他端をカバー７に取り付けられた無線基板６の端子に接続する。
【００２８】
次に、カバー７を、カバー７のねじ挿通孔７１がケース５のねじ穴５８に重なるように配置し、ねじをねじ挿通孔７１に挿通し、ねじ穴５８にねじを締め付けることにより、カバー７をケース５に取り付ける。これにより、無線基板６は、電線を介して端子２３ａと接続した状態で前記収容スペースに収容される。
【００２９】
本実施形態に係るガスメーター用無線モジュール４は、ガスメーター１の端子台２３を覆う状態で、配置部２５に取り付け可能なケース５と、配置面５６ｂに配置され、端子台２３に備えられた端子２３ａと電気的に接続されてガスメーター１のデータを取得し、当該データを無線データとして送信する無線基板６と、ケース５と組み合わされて無線基板６を覆って固定するカバー７と、を備えている。このような構成により、ガスメーター１の配置部２５に取り付けられていた端子台カバーに代えて、ガスメーター１に取り付けることができる。そのため、ガスメーター１との一体感があり、デザイン性に優れたものとなる。
【００３０】
また、本実施形態に係るガスメーター用無線モジュール４は、配置面５６ｂに配置された無線基板６の端子を端子台２３の端子２３ａに電気的に接続する際に、電線等を仕切り板５６の開口部５７を通すことにより短い距離で接続することができる。そのため、無線基板６と端子２３ａとの配線が複雑となりにくい。また、無線基板６と端子２３ａとの配線が、ガスメーター用無線モジュール４の外にでることなく、配線が外部から視認されることがない。そのため、デザイン性に優れたものとなる。
【００３１】
また、本実施形態に係るガスメーター用無線モジュール４のケース５は、その筒状部材５１が、配置部２５の面に沿うように形成されている。これにより、ケース５を備えるガスメーター用無線モジュール４を、配置部２５に取り付けることができ、ガスメーター１との一体感を出すことができる。
【００３２】
また、本実施形態に係るガスメーター用無線モジュール４のカバー７の外周部には、当該外周部の形状に沿ってパッキンが設けられ、カバー７を取り付ける際に、カバー７とケース５との間に当該パッキンが配されるようになっている。これにより、ケース５とカバー７との間により隙間ができにくく、当該隙間から雨水などが流入してくることをより効果的に抑制することができる。
【００３３】
また、本実施形態に係るガスメーター用無線モジュール４のケース５の取付面５６ａには、その開口部５７の縁部を囲うように止水部材を設けてもよい。このような構成により、ケース５をガスメーター１に取りつけた際に、ケース５の開口部５７と配置部２５との隙間を止水部材が埋めるため、開口部２４に雨水などが流入してくることを抑制し、端子台２３に水や汚れが付着することを抑制することができる。
【００３４】
ところで、ガスメーターの端子台部分の形状は共通ではないため、上述の取り付け方法が適用できないガスメーターも存在する。本実施形態のガスメーター用無線モジュール４は、端子台部分に取り付けられない場合にも対応できるように、ケース５と交換可能なアダプタ８を使用することができる。そのため、ガスメーター用無線モジュール４は、アダプタ８を付属品としてセットで販売や流通等させてもよい。図３は、ケース５に代えて、アダプタ８を使用したガスメーター用無線モジュール４の他の形態を示したものである。
【００３５】
アダプタ８は、上下方向に延びた略長方形状の板状部材８１と、板状部材８１の幅方向両端部から同方向に立設する側壁部８２と、板状部材８１の上下方向両端部から少し内側寄りに設けられ、側壁部８２と同じ方向に立設する上壁部８４及び下壁部８５と、を備えている。側壁部８２と、上壁部８４と、下壁部８５と、は共に連結して設けられており、板状部材８１と、側壁部８２と、上壁部８４と、下壁部８５と、により形成された空間に無線基板６が収容され、板状部材８１に固定される。下壁部８５には、収容された無線基板６の端子とガスメーター１の端子２３ａとを電気的に接続する、例えば電線等を挿通させるための挿通穴（図示せず）が形成されている。
【００３６】
側壁部８２と、上壁部８４と、下壁部８５との縁部（板状部材８１とは反対側の先端部）には、図示しないパッキンが設けられており、カバー７を取り付ける際に、カバー７とアダプタ８との間にパッキンが配されるようになっている。これにより、ケース５とアダプタ８との間に隙間がよりできにくく、当該隙間から雨水などが流入してくることをより効果的に抑制することができる。
【００３７】
また、上壁部８４と下壁部８５には、内側方向に突部（図示せず）が形成されており、当該突部にはねじ穴（図示せず）が形成されている。カバー７は、カバー７のねじ挿通孔７１に適宜のねじを相通して、突部に形成されたねじ穴に締め付けることにより、アダプタ８に取り付けられる。
【００３８】
板状部材８１は、幅方向略中央部であって上下方向に延びる窪み８３が形成されている。窪み８３は、側壁部８２等が設けたれた面側に湾曲して形成されている。当該窪み８３は、例えば、ガスメーター１に接続されるガスの配管の形状に即している。また、板状部材８１には、その四隅近傍にねじ挿通孔８１ａが形成されている。当該窪み８３やねじ挿通孔８１ａは、汎用取付機構に該当し、当該汎用取付機構により、ガスメーター１の端子台部分以外の取り付け対象物（ガスの配管や壁面等）に取り付けることが可能となる。
【００３９】
本実施形態に係るガスメーター用無線モジュール４のケース５に代えて、アダプタ８を用いた場合には、アダプタ８は汎用取付機構を有するため、ガスメーター用無線モジュール４を例えば、端子台２３以外の被取付対象物に取り付けることができる。具体的には、アダプタ８は、板状部材８１に、配管の形状に即した窪み８３が形成されているため、当該窪み８３を被取付対象物としての例えば配管に沿わせて配することができる。これにより、図３に示すように、配管Ｐ上に安定して固定することができる。なお、配管への固定は、従来知られている通常の固定方法により行うことができる。例えば、紐状部材で配管に固定することなどが挙げられる。
【００４０】
さらに、板状部材８１のねじ挿通孔８１ａを利用して、壁などに固定することも可能である。また、ねじ挿通孔８１ａに紐状部材を通して、配管などにぶら下げることも可能である。汎用取付機構としては、例えば家具の柱への固定に用いる取付金具や、ステー等も挙げられる。
【００４１】
［第２実施形態］
本発明の第２実施形態に係るガスメーター用無線モジュール４Ａ及びガスメーター１Ａについて図４から６を用いて説明する。本実施形態に係るガスメーター用無線モジュール４Ａ及びガスメーター１Ａの形状が第１実施形態と異なる。また、図４から６において、前述した第１実施形態と同一構成部分には、同一符号を付した。なお、上記第１実施形態と同一の構成、動作及び効果に関しては説明を省略する。
【００４２】
図４に示すように、ガスメーター１Ａは、略台形柱形状の筐体部２Ａと、筐体部２Ａの上面２７には円筒状の流入口１１及び流出口１２が設けられている。筐体部２Ａの一の側面２８には、開口部２４と、配置部２５と、が形成されている。配置部２５には、端子台２３（図示せず）が収納されている。また、配置部２５には、開口部２４の幅方向両側に２つのねじ穴２６が形成されている。
【００４３】
ガスメーター用無線モジュール４Ａは、ケース９と、無線基板６と、カバー７Ａと、を備えている。ケース９は、略正方形の板状部材９１と、板状部材９１との間に空間を形成して板状部材９１の一方の面の一部を覆う保持部材９２と、を備えている。図５は、ケース９の背面図である。板状部材９１の保持部材９２側の面は、固定面９３を形成し、反対側の面は取付面９４を形成し、取付面９４が配置部２５に接するようにガスメーター１Ａに取り付けられる。ケース９は、端子台２３を覆う状態でガスメーター１Ａの配置部２５に取り付け可能となっている。板状部材９１と保持部材９２とは、例えばねじ止め等の公知の方法により取り付けられる。
【００４４】
板状部材９１には、ねじ挿通孔９１ａが形成され、保持部材９２には、ねじ挿通孔９２ａが形成されている。ねじ挿通孔９１ａとねじ挿通孔９２ａとは、板状部材９１と保持部材９２とを組み合わせた際に、重なるように形成されている。ガスメーター用無線モジュール４Ａは、ねじ挿通孔９１ａとねじ挿通孔９２ａとにねじを貫通させ、ねじ穴２６にねじを締め付けてガスメーター１Ａに取り付けられる。また、板状部材９１の下側端部には、電線Ｃが貫通する貫通孔９５が形成されている。
【００４５】
無線基板６は、無線基板６の端子台６２が露出するように、板状部材９１と保持部材９２との間に形成された空間に収容されて固定面９３に固定されている。端子台６２の端子は、電線Ｃにより、ガスメーター１Ａの端子台２３の端子（図示せず）に電気的に接続されている。この時、無線基板６に接続された電線Ｃは、当該貫通孔９５を貫通して、ガスメーター１Ａの端子台２３の端子に接続されている。
【００４６】
カバー７Ａは、無線基板６を覆うようにケース９に組み合わされ、無線基板６の露出した端子台６２を覆うように板状部材９１及び保持部材９２に組み合わされる。カバー７Ａの、保持部材９２及び板状部材９１と接する端部には、パッキン（図示しない）が設けられている。カバー７Ａのケース９への取り付けは、ねじ止め等公知の方法により取り付けられる。
【００４７】
次に、ガスメーター用無線モジュール４Ａの組み立て方法、及び、ガスメーター用無線モジュール４Ａのガスメーター１Ａへの取付方法について説明する。まず、無線基板６を板状部材９１と保持部材９２との間に挟みこんで固定面９３に固定し、板状部材９１と保持部材９２とを、ねじ止め等公知の方法により組み合わせる。次に、カバー７Ａをねじ止め等公知の方法によりケース９に取り付ける。これにより、ガスメーター用無線モジュール４Ａの組み立てが完成する。
【００４８】
次に、ガスメーター用無線モジュール４Ａを、取付面９４が配置部２５に接するように配置部２５に取り付け、ねじ挿通孔９１ａとねじ挿通孔９２ａとにねじを貫通させ、ねじ穴２６にねじを締め付けてガスメーター１Ａに取り付ける。なお、ガスメーター１Ａの端子台２３の端子と、無線基板６の端子台６２の端子とは、ガスメーター用無線モジュール４Ａのガスメーター１Ａへの取付の前に、電線Ｃにより接続されており、取付後は、電線Ｃは、ガスメーター用無線モジュール４Ａとガスメーター１Ａとの間の開口部２４に収納される。
【００４９】
さらに、本実施形態に係るガスメーター用無線モジュール４Ａは、図６に示すように、ケース９に取り付け可能な取付汎用機構を有する取付部材９６を備えることができる。取付部材９６は、板状部材９１の取付面に取り付けられる板状の部材である固定部９７と、固定部９７の上側の端部から突出して設けられた取付部９８とを、備えている。固定部９７は、例えばねじ止め等公知の方法により、板状部材９１の取付面９４に取り付けられる。取付部９８には、汎用取付機構としての貫通孔９８ａが形成されている。当該汎用取付機構により、ガスメーター１Ａの端子台部分以外の取り付け対象物（ガスの配管や壁面等）に取り付けることが可能となる。また、端子台部分以外の取り付け対象物には、ガスメーター１Ａ以外の他のガスメーターの端子台部分も含まれる。取付部材９６としては、家具の柱への固定に用いる取付金具や、ステーなどが挙げられる。
【００５０】
本実施形態に係るガスメーター用無線モジュール４Ａは、取付部材９６を取り付けることにより、ガスメーター１Ａ以外の、例えば、壁面などにねじ止め等により取り付けることができる。
【００５１】
なお、前述した実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明のガスメーター用無線モジュール及びガスメーターの構成を具備する限り、勿論、本発明の範疇に含まれるものである。
【００５２】
例えば、上記実施形態においては、カバー７の外周部にはパッキンが設けられる構成としたが、これに限定されることなく、パッキンが設けられない構成としてもよい。また、パッキンは、ケース５の縁部５３に設けられていてもよい。さらに、カバー７Ａにおいても同様にパッキンが設けられなくてもよく、ケース９に設けられていてもよい。
【００５３】
また、上記第１実施形態においては、端子台２３の端子２３ａと無線基板６とは、電線で接続される構成としたが、電気的に接続できればこれに限定されることはない。
【符号の説明】
【００５４】
１，１Ａ              ガスメーター
２３                  端子台
２３ａ                端子
４                    ガスメーター用無線モジュール
５，９                ケース
５６ａ，９４          取付面
５６ｂ                固定面（取付面とは反対側の面）
６                    無線基板６
７，７Ａ              カバー（無線基板カバー）
８                    アダプタ
９６                  取付部材
８１ａ                ねじ挿通孔（汎用取付機構）
８３                  窪み（汎用取付機構）
９８ａ                貫通孔（汎用取付機構）
【図１】
0006590680.tif 000002
【図２】
0006590680.tif 000003
【図３】
0006590680.tif 000004
【図４】
0006590680.tif 000005
【図５】
0006590680.tif 000006
【図６】
0006590680.tif 000007